(57)【要約】      （修正有）【課題】走行時の馬体の上下で、競走馬の背中を叩き余分な刺激を与えることが無い競走馬識別素子保持具を提供する。【解決手段】保持具１０は、ポケット部材２９、支承部材２３，２５及び面ファスナー２１，２７を有する。ポケット部材は、上側台布２５に取着されていて、ＩＣタグカードを収容する。面ファスナーは、支承部材の表面及び裏面に夫々取着されている。調教用ゼッケンには、これに対応する面ファスナーが取着されており、対応する夫々が係合する。この保持具１０は、競走馬の背筋方向に係る差し渡し寸法が、ゼッケン側の面ファスナーの背筋方向の差し渡し寸法と同じか、短くされている。これで保持具１０は、ゼッケン側の二つの面ファスナーの間に隠蔽される。外部に出ている部分が無くなる結果、競走馬の動きが如何に激しくとも上下動はせず、競走馬の背中を叩いたりすることは無い。【選択図】図１
0003189778.tif 000002
【実用新案登録請求の範囲】
【請求項１】
ポケット部材、支承部材及び係合部材を有し、
前記ポケット部材は、前記支承部材に取着されていて識別素子を収容し、
前記係合部材は、前記支承部材の表面及び裏面に夫々取着されていて、対応する競走馬調教用ゼッケンの係合部材に夫々係合されるものであり、
競走馬の背筋方向に係る差し渡し寸法が、前記ゼッケン側の係合手段の前記背筋方向の差し渡し寸法と同じか、それよりは短くされている
ことを特徴とする競走馬識別素子保持具。
【考案の詳細な説明】
【技術分野】
【０００１】
本考案は競走馬識別素子保持具に関し、詳しくは、競走馬調教用ゼッケンに取着される競走馬識別素子保持具に関する。
【背景技術】
【０００２】
日本中央競馬会には美浦と栗東にトレーニングセンターがある。これらトレーニングセンターでは、競走馬に対し、ほぼ毎日調教が実施されている。
調教の際には競走馬調教用ゼッケンが取付けられる（特許文献１、符号３。特許文献２、符号１１）。（以下、「競走馬調教用ゼッケン」は、適宜「ゼッケン」と言う）。
【０００３】
調教の際は、調教タイムが計測される。この計測にはＩＣタグ（ＲＦタグ、電子タグ）が使用される。スタート、ゴールその他所要の地点で、このＩＣタグのデータが読み取られ、調教タイムが計測される。
このＩＣタグを馬体に装着する為に、競走馬識別素子保持具が使用される（以下、「競走馬識別素子保持具」は、適宜「保持具」と言う。）。
【０００４】
この保持具に関し、出願人は過日実用新案登録出願をした（特許文献３、符号１０）。この出願に係る考案では、芯材１２にスリット３８，４０を入れている。こうすれば、競走馬の背骨方向には剛性が出る一方で、競走馬の胴周り方向には柔軟性が保たれるようになる。
【０００５】
これにより、疾走中競走馬の背が激しく上下動しても、保持具が競走馬の背中を叩いたりせず。競走馬に違和感を与えない。
【先行技術文献】
【特許文献】
【０００６】
【特許文献１】実開平６−１３４５８
【特許文献２】特開２００５−１６４７６３
【特許文献３】実登３１７５９９３
【考案の概要】
【考案が解決しようとする課題】
【０００７】
しかし、実用に供してみると、目論みどおりに行かない事が分かって来た。即ち、工夫をしたにも拘わらず、走行中、保持具が競走馬の背中を叩き、競走馬に無用な刺激を与えている事例が出て来たのである。取り付け不十分とか、騎手のお尻が乗ってしまうとか、理由は色々であろう。しかし、兎に角これでは都合が悪い。
【０００８】
本考案の目的は、このような不都合を解消することにある。
【課題を解決するための手段】
【０００９】
上記課題解決のため本願競走馬識別素子保持具では、ポケット部材、支承部材及び係合部材を有し、前記ポケット部材は、前記支承部材に取着されていて識別素子を収容し、前記係合部材は、前記支承部材の表面及び裏面に夫々取着されていて、対応する競走馬調教用ゼッケンの係合部材に夫々係合されるものであり、競走馬の背筋方向に係る差し渡し寸法が、前記ゼッケン側の係合手段の前記背筋方向の差し渡し寸法と同じか、それよりは短くされている。
【考案の効果】
【００１０】
上記のような構造にすれば、この保持具は、二つの面ファスナーの間に完全に引き込まれた状態になる、言い換えれば、調教用ゼッケンの二つの面ファスナーから出っ張ることなく、その間に保持される。
この二つの面ファスナーは、縫い付けるなどして調教用ゼッケンにしっかり固定されている。そして保持具は、このような二つの面ファスナーに、完全に引き込まれた状態で保持される。
それ故、競走馬の動きが如何に激しくとも、この保持具が上下して競走馬の背中を叩くようなことは無い。
【図面の簡単な説明】
【００１１】
【図１】本考案の実施の形態の一例である競走馬識別素子保持具を示し、（Ａ）は正面図、（Ｂ）は平面図、（Ｃ）は背面図、（Ｄ）は底面図。
【図２】本考案の実施の形態の一例である競走馬識別素子保持具を示し、（Ａ）は右側面図、（Ｂ）は左側面図。
【図３】保持具の一番下に配置されるオスの面ファスナーを示し、（Ａ）は正面図、（Ｂ）は平面図、（Ｃ）は背面図、（Ｄ）は底面図。
【図４】保持具の一番下に配置されるオスの面ファスナーを示し、（Ａ）は右側面図、（Ｂ）は左側面図。
【図５】図３，図４に示すオスの面ファスナーの上に配置される下側台布を示し、（Ａ）は正面図、（Ｂ）は平面図、（Ｃ）は底面図、（Ｄ）は分図（Ｂ）の５Ａ−５Ｂ線で見た断面図（拡大）。
【図６】図５に示す下側台布の上に配置される上側台布を示し、（Ａ）は正面図、（Ｂ）は平面図、（Ｃ）は底面図、（Ｄ）は分図（Ｂ）の６Ａ−６Ｂ線で見た断面図（拡大）。
【図７】図６に示す上側台布の上に配置されるメスの面ファスナーを示し、（Ａ）は正面図、（Ｂ）は平面図、（Ｃ）は背面図、（Ｄ）は底面図。
【図８】図６に示す上側台布の上に配置されるメスの面ファスナーを示し、（Ａ）は右側面図、（Ｂ）は左側面図。
【図９】保持具の一番上に配置されるポケット部材を示し、（Ａ）は正面図、（Ｂ）は平面図、（Ｃ）は背面図、（Ｄ）は底面図、（Ｅ）は左側面図、（Ｆ）は右側面図。
【図１０】図９に示すポケット部材に収納されるＩＣタグカードを示し、（Ａ）は正面図、（Ｂ）は平面図、（Ｃ）は背面図、（Ｄ）は底面図、（Ｅ）は左側面図、（Ｆ）は右側面図。
【図１１】ポケット部材の蓋を開けた状態を示し、（Ａ）は正面図、（Ｂ）は平面図、（Ｃ）は左側面図、（Ｄ）は右側面図。背面図は正面図と対称なので省略。底面図は、図９（Ｄ）の底面図から容易に類推できると思料されるので省略。
【図１２】図１１の１２Ａ−１２Ｂ線で見たポケット部材を示す断面図（拡大）。入口は少し開口させてある。Ａ−Ｂ切断部はＣ−Ｄ切断部に繋がり、Ｅ−Ｆ切断部はＧ−Ｈ切断部に繋がる。但し、各切断部の間は適宜短縮している。
【図１３】ポケット部材にＩＣタグカードを途中まで収納した状態を示す平面図。
【図１４】調教用ゼッケンの二つの面ファスナーの間に保持具を収納させる様子を示す斜視図。
【考案を実施するための形態】
【００１２】
以下、本考案の詳細を図示実施の形態例に基づいて説明する。図１に、実施の形態例の一つである競走馬識別素子保持具１０を示す。同図（Ａ）は正面図、（Ｂ）は平面図、（Ｃ）は背面図、（Ｄ）は底面図である。右側面図は図２（Ａ）に、左側面図は図２（Ｂ）に示される。
この保持具１０は、図３〜図９に示す各部材の積み重ねと縫製とを順に繰り返しで製作される。図３〜図９の各部材について説明すれば、保持具１０の全体も理解されると思われる。従って、図１，図２については説明を略す。
【００１３】
先ず、図３は保持具の一番下に配置されるオスの面ファスナー２１を示す。この図の（Ａ）は正面図、（Ｂ）は平面図、（Ｃ）は背面図、（Ｄ）は底面図である。右側面は図４（Ａ）に、左側面図は図４（Ｂ）に示される。
オスのフックは底面側に配置されている。図示は難しいので、×の記号でこのフックを表現する。この図３及び図４の各分図、及び他の図に於いても同様とする。
なお、面ファスナー自体は良く知られている。従って、この図３，図４での図示だけで構造は理解されると解す。説明はこれだけとする。
【００１４】
図５は、図３，図４に示したオスの面ファスナーの上に配置される下側台布２３を示す。同図（Ａ）は正面図、（Ｂ）は平面図、（Ｃ）は底面図、（Ｄ）は分図（Ｂ）の５Ａ−５Ｂ線で見た断面図である。この分図（Ｄ）は拡大されている。
台布の素材は合成繊維である。四辺は図示のとおり内側に折り返されている。四辺のほつれ防止と外観を良くするためである。四辺が折り返されているだけなので、背面、左側面、右側面の図示は略した。
【００１５】
図６は、図５に示す下側台布の上に配置される上側台布２５を示す。同図（Ａ）は正面図、（Ｂ）は平面図、（Ｃ）は底面図、（Ｄ）は分図（Ｂ）の６Ａ−６Ｂ線で見た断面図である。この分図（Ｄ）も拡大している。
この台布の素材も合成繊維である。四辺は同じく内側に折り返されている。背面、左側面、右側面の図示も略した。
【００１６】
図７は、図６に示す上側台布の上に配置されるメスの面ファスナー２７を示す。同図（Ａ）は正面図、（Ｂ）は平面図、（Ｃ）は背面図、（Ｄ）は底面図である。右側面図は図８（Ａ）に、左側面図は図８（Ｂ）に示される。
メスのループは表面側に配置されている。これも図示は難しいので、◇の記号で表現する。各分図、他の図に於いても同様とする。
なお、この図７，図８についても説明はこれだけとする。
【００１７】
図９に、保持具の一番上に配置されるポケット部材２９を示す。この図の（Ａ）は正面図、（Ｂ）は平面図、（Ｃ）は背面図、（Ｄ）は底面図、（Ｅ）は左側面図、（Ｆ）は右側面図である。このポケット部材２９は、その名付けのとおり、中へ物を収納するものである。あとの図も参照して貰った方が、このポケット部材２９の構造について理解が進むと思われる。この後に続く図について、先に説明する。
【００１８】
図１０に、ポケット部材に収納されるＩＣタグカード３１を示す。この図の（Ａ）は正面図、（Ｂ）は平面図、（Ｃ）は背面図、（Ｄ）は底面図、（Ｅ）は左側面図、（Ｆ）は右側面図である。このカード３１の素材は厚紙である。これにＩＣタグ３３が取着されている。ＩＣタグ３３の混同を防ぐため、カード３１には競走馬の馬名が記入される。２点鎖線の長方形３５が、この馬名を表している。
【００１９】
図１１は、ポケット部材の蓋３７を開けた状態を示す。（Ａ）は正面図、（Ｂ）は平面図、（Ｃ）は左側面図、（Ｄ）は右側面図である。背面図は正面図と対称なので省略した。蓋３７を開けた状態の底面図は、図９（Ｄ）から容易に類推できると思われる。そこで、これも省略した。
【００２０】
図１２は、図１１の１２Ａ−１２Ｂ線で見たポケット部材２９の断面図である。これも拡大してある。表生地３９と裏生地４１の間を少し離し、入口５５を開口した状態にしている。Ａ−Ｂ切断部はＣ−Ｄ切断部に繋がり、Ｅ−Ｆ切断部はＧ−Ｈ切断部に繋がる。但し、各切断部の間は適宜短縮している。
図１３は、ポケット部材２９にＩＣタグカード３１を途中まで収納した状態を示す平面図である。図が見にくくなるので、各面ファスナーのフック、ループの記号は略した。
【００２１】
図１４は、調教用ゼッケンの二つの面ファスナー４６，４８の間に保持具１０を収納させる様子を示す。なお、この図は、ゼッケン４４を裏返しに置いている。この面ファスナー４６，４８が取着されている面が、競走馬の背中側となり、地面側となる。
この状態で、面ファスナー４８のゼッケン中央に当たる位置に、保持具１０を置く。このとき保持具１０の先端は、二つの面ファスナー４６，４８で形成される谷（繋ぎ目）４３にキチンと押し当てる。
そして、面ファスナー４６を面ファスナー４８に押し付ける。これで、保持具は、二つの面ファスナーに挟まれ、隠蔽された状態になる。
【００２２】
図９に戻って、ポケット部材２９について追加説明をする。このポケット部材２９は、基本的には合成樹脂から成る表生地３９と裏生地４１とを組み合わせ、ポケット状にしたものである。
二つの生地３９，４１は馬尾側に於いて溶着され、ここがポケットの底とされている。また、手前側の辺縁と奥側の辺縁、及び蓋３７の周縁には、バイアステープ４７が被せられ、ミシンで縫い付けられている。点線４９は、これらの縫い目を表す。
【００２３】
表生地には透明な窓５１が形成されている。透明な部分には２点鎖線のハッチングを施した。窓を囲む２本線５３は、溶着の跡である。
面ファスナー５７を外し、蓋３７を馬首側に開くと、ポケットの入り口５５が現れる（図１１）。図１２の断面図や、図１３のＩＣタグカード３１の挿入状態からも、この入り口５５の様子が分かる。
【００２４】
蓋３７の裏側には、メスの面ファスナー５７が縫い付けられている。これに対応するように、ポケット部材の入り口の上には、オスの面ファスナー５９が縫い付けられている。これらを押圧すれば入り口５５が閉じ、剥がせば入り口５５が開く。
【００２５】
なお、実施の形態例の部材名と請求項の部材名とが異なるものについて、念の
ため、その対応を説明しておく。
下側台布２３及び上側台布２５が請求項に言う支承部材に当たる。面ファスナー２１，２７が請求項に言う係合部材に当たる。ＩＣタグ３３が請求項に言う識別素子に当たる。面ファスナー４６，４８が競走馬調教用ゼッケンの係合部材に当たる。
【符号の説明】
【００２６】
１０…保持具
２１…オスの面ファスナー（一番下の）
２３…下側台布
２５…上側台布
２７…メスの面ファスナー（上側台布の上）
２９…ポケット部材
３１…ＩＣタグカード
３３…ＩＣタグ
３５…２点鎖線長方形（馬名）
３７…蓋
３９…表生地（ポケット部材の）
４１…裏生地（ポケット部材の）
４３…谷（二つの面ファスナーで形成される）
４４…競走馬調教用ゼッケン
４６，４８…面ファスナー（調教用ゼッケンの）
４７…バイアステープ
４９…点線（縫い目）
５１…窓
５３…窓を囲む２本線
５５…入り口（ポケットの）
５７…メスの面ファスナー（蓋の裏側）
５９…オスの面ファスナー（ポケット部材の入り口の上）
×の記号…オスのフック
◇の記号…メスのループ
【図１】
0003189778.tif 000003
【図２】
0003189778.tif 000004
【図３】
0003189778.tif 000005
【図４】
0003189778.tif 000006
【図５】
0003189778.tif 000007
【図６】
0003189778.tif 000008
【図７】
0003189778.tif 000009
【図８】
0003189778.tif 000010
【図９】
0003189778.tif 000011
【図１０】
0003189778.tif 000012
【図１１】
0003189778.tif 000013
【図１２】
0003189778.tif 000014
【図１３】
0003189778.tif 000015
【図１４】
0003189778.tif 000016